(57)【要約】【課題】メタルドームと基板との間の空間を密閉していない場合であっても、メタルドームと基板との間に静電気が侵入する可能性を低くする。【解決手段】デジタルカメラ１００は、第１のスイッチ配線部６０６と第２のスイッチ配線部６０７とが設けられた操作基板６００と、メタルドーム６０１ａを含み、操作基板６００に貼り付けられる第１のメタルドームシート６０１を備え、電源ボタン１０１が押下されると、メタルドーム６０１ａが弾性変形して、第１のスイッチ配線部６０６と第２のスイッチ配線部６０７とがメタルドーム６０１ａを介して電気的に接続される。また、操作基板６００に配線されるグランド配線部６０９の少なくとも一部を第１のメタルドームシート６０１の周縁部６０１ｋから露出させる。【選択図】図２
2015076172.tif 000002
【特許請求の範囲】
【請求項１】
第１の配線部と第２の配線部とが設けられた基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材と、操作されることで前記弾性部材を弾性変形させる操作部材とを備え、前記操作部材の操作によって前記弾性部材を弾性変形させると弾性変形した前記弾性部材によって前記第１の配線部と前記第２の配線部とが電気的に接続される電子機器であって、
前記基板には、接地電位となるグランド配線部が形成され、
前記グランド配線部の少なくとも一部が前記シート部材の周縁部から露出するように、前記シート部材は前記基板に貼り付けられることを特徴とする電子機器。
【請求項２】
前記シート部材は、前記弾性部材の周縁部から前記シート部材の通気開口に至る空気の経路を有し、
前記シート部材の前記通気開口は、前記シート部材の周縁部に設けられていることを特徴とする請求項１に記載の電子機器。
【請求項３】
前記グランド配線部のうち前記シート部材の周縁部から露出する露出部は、前記シート部材の前記通気開口の近傍において前記空気の経路に沿って、露出する領域が広くなっていることを特徴とする請求項２に記載の電子機器。
【請求項４】
前記弾性部材は、対向する２辺が切り欠かれた略長円形の形状を有し、
前記空気の経路は、前記弾性部材の切り欠かれた一方の辺に対応する周縁領域から前記シート部材の前記通気開口まで延在するように形成されていることを特徴とする請求項２又は３に記載の電子機器。
【請求項５】
前記弾性部材の周縁部のうち、前記空気の経路が延出する前記弾性部材の切り欠かれた一方の辺に対応する周縁領域と対向する他方の辺に対応する領域において、前記第１の配線部と前記第２の配線部の少なくとも一方から信号線が引き出されていることを特徴とする請求項４に記載の電子機器。
【請求項６】
前記第２の配線部は、前記弾性部材の切り欠かれた２辺に対応する部分が切り欠かれた形状を有することを特徴とする請求項４又は５に記載の電子機器。
【請求項７】
前記シート部材は、粘着シートを介して前記基板に貼り付けられ、
前記空気の経路は、前記粘着シートを部分的に除去することにより形成されていることを特徴とする請求項２乃至６のいずれか１項に記載の電子機器。
【請求項８】
前記シート部材は、前記粘着シートにより前記基板に貼り付けられるスペーサシートを更に備え、
前記空気の経路は、前記粘着シートと前記スペーサシートを部分的に除去することにより形成されていることを特徴とする請求項７記載の電子機器。
【請求項９】
前記基板は、片面のみに配線がなされていることを特徴とする請求項１乃至８のいずれか１項に記載の電子機器。
【請求項１０】
前記第１の配線部は信号線に、前記第２の配線部はグランドにそれぞれ割り当てられていることを特徴とする請求項１乃至９のいずれか１項に記載の電子機器。
【請求項１１】
第１の配線部と第２の配線部とが設けられた基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材とを備え、前記弾性部材を弾性変形させると弾性変形した前記弾性部材によって前記第１の配線部と前記第２の配線部とが前記弾性部材を介して電気的に接続されるメタルドームスイッチであって、
前記基板には、接地電位となるグランド配線部が形成され、
前記グランド配線部の少なくとも一部が前記シート部材の周縁部から露出するように、前記シート部材は前記基板に貼り付けられることを特徴とするメタルドームスイッチ。
【発明の詳細な説明】
【技術分野】
【０００１】
本発明は、メタルドームスイッチ及び電子機器に関し、特に、メタルドームスイッチを備える電子機器に関する。
【背景技術】
【０００２】
電子機器の一例であるデジタルカメラ等の撮像装置には、電源ボタンやレリーズボタン、ズームレバー、表示部、十字キー等の操作ボタンが設けられている。ここで、電源ボタンや操作ボタンの押圧動作を検知するために、メタルドームスイッチが使用されている。      
【０００３】
メタルドームスイッチとは、例えば、基板に形成される２つの電極部の上に導電性を有するメタルドームを配置し、メタルドームの変形によって２つの電極部を導通させるスイッチである。
【０００４】
特許文献１に記載された技術では、メタルドームを基板上に固定するために、基板に貼り付けられる粘着シートにおいて、少なくとも２個の隣接するメタルドーム間の粘着層を除去し、空気逃げ部を形成している。
【先行技術文献】
【特許文献】
【０００５】
【特許文献１】特許第４４１７５８８号公報
【発明の概要】
【発明が解決しようとする課題】
【０００６】
１つの基板上に複数のメタルドームが配置されるメタルドームスイッチでは、メタルドームが変形したときに、メタルドームと基板との間の空気は上述した空気逃げ部を通過して他のメタルドームと基板との間に排出される。
【０００７】
しかしながら、１つの基板上に１つのメタルドームが配置されるメタルドームスイッチでは、粘着シートの周縁部の粘着層を除去し、メタルドームが変形したときに、メタルドームと基板との間の空気を外に排出することになる。したがって、１つの基板上に１つのメタルドームが配置されるメタルドームスイッチでは、メタルドームと基板との間の空間を粘着シートで密閉することができない。
【０００８】
一方、電子機器の使用者が静電気を帯電していることがあり、その場合、電子機器を使用した際に電子機器に静電気が印加されてしまうことがある。静電気は、一般的に、数千乃至数万ボルトの高電圧を有する電荷であるため、電子機器に静電気が印加されると、電子機器の内部回路に致命的な損傷が生じるおそれがある。
【０００９】
静電気は、使用者の指先から操作ボタンと外装カバーとの間の隙間を通って電子機器内部に侵入することが多い。したがって、１つの基板上に１つのメタルドームが配置されるメタルドームスイッチでは、静電気が通気口からメタルドームと基板との間の空間に侵入するおそれがある。静電気がメタルドームスイッチの内部、すなわち、メタルドームと基板との間の空間に侵入すると、基板に形成された配線パターンを介して電子回路が誤動作を起こし、或いは、電子部品が損傷してしまうおそれがある。
【００１０】
本発明は、メタルドームと基板との間の空間を密閉していない場合であっても、メタルドームと基板との間に静電気が侵入する可能性を低くすることができるメタルドームスイッチ及び電子機器を提供することを目的とする。
【課題を解決するための手段】
【００１１】
本発明に係る電子機器は、第１の配線部と第２の配線部とが設けられた基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材と、操作されることで前記弾性部材を弾性変形させる操作部材とを備え、前記操作部材の操作によって前記弾性部材を弾性変形させると弾性変形した前記弾性部材によって前記第１の配線部と前記第２の配線部とが電気的に接続される電子機器であって、前記基板には、接地電位となるグランド配線部が形成され、前記グランド配線部の少なくとも一部が前記シート部材の周縁部から露出するように、前記シート部材は前記基板に貼り付けられることを特徴とする。
【発明の効果】
【００１２】
本発明によれば、メタルドームと基板との間の空間を密閉していない場合であっても、メタルドームと基板との間に静電気が侵入する可能性を低くしたメタルドームスイッチ及び電子機器を提供することができる。
【図面の簡単な説明】
【００１３】
【図１】本発明の実施形態に係るデジタルカメラの外観斜視図である。
【図２】図１のデジタルカメラの分解斜視図である。
【図３】図１のデジタルカメラが備える第２のメタルドームシートの構造を示す図である。
【図４】図１のデジタルカメラが備える第１のメタルドームシートの構造を示す図である。
【図５】第図１のデジタルカメラが備える１のメタルドームシートと電源ボタンの配置と構造を示す図である。
【発明を実施するための形態】
【００１４】
以下、本発明の実施形態について添付図面を参照して詳細に説明する。ここでは、本発明に係る電子機器として、コンパクトタイプのデジタルカメラを取り上げることとする。
【００１５】
図１は、本発明の実施形態に係るデジタルカメラ１００の外観斜視図であり、図１（ａ）は、デジタルカメラ１００を正面側から見た斜視図であり、図１（ｂ）は、デジタルカメラ１００を背面側から見た斜視図である。
【００１６】
デジタルカメラ１００は、外観部を構成するフロントカバー１０９と、リアカバー１１０とを備える。フロントカバー１０９とリアカバー１１０とは、互いに係止爪によって固定されると共に、ビス等によりバッテリボックス３００（図２参照）等の内部構造体に固定される。
【００１７】
デジタルカメラ１００の正面には、沈胴式のレンズ鏡筒２００及びストロボ４００が配置されている。レンズ鏡筒２００は、フォーカスレンズやズームレンズを含み、被写体像を光電変換して画像デ−タを生成するＣＣＤセンサ或いはＣＭＯＳセンサ等の撮像素子に撮影光束を結像させる。ストロボ４００は、撮影時に光量が足りないとき等、撮影場面に応じて発光し、被写体に閃光を照射する。
【００１８】
デジタルカメラ１００の上面には、操作部材の一部である電源ボタン１０１、レリーズボタン１０２及びズームレバー１０３が設けられている。電源ボタン１０１の押下により、デジタルカメラ１００は撮影可能状態となる。レリーズボタン１０２は、２段スイッチで構成されており、半押しでＡＦ動作やＡＥ動作等が行われ、全押しで露光（本撮影）が行われる。ズームレバー１０３の操作により、撮影画角の変更が可能となっている。
【００１９】
デジタルカメラ１００の背面には、液晶ディスプレイ５００及び操作ボタン群１０５が設けられており、デジタルカメラ１００の側面には、ストラップ取り付け用部材１０６及びコネクタ蓋１０７が設けられている。液晶ディスプレイ５００は、撮影する被写体像や撮影された画像、デジタルカメラ１００の各種設定メニューやアイコン等を表示する。操作ボタン群１０５は、液晶ディスプレイ５００に表示する画像の選択や、各種設定メニューやアイコン等の表示と選択に用いられる。ストラップ取り付け用部材１０６にはストラップを取り付けることができる。コネクタ蓋１０７は開閉可能であり、コネクタ蓋１０７を開くと、外部出力ケーブルを取り付けるためのコネクタ（不図示）が現れる。
【００２０】
図２は、デジタルカメラ１００の分解斜視図であり、図２（ａ）は、デジタルカメラ１００全体の背面側から見た分解斜視図であり、図２（ｂ）は、電源ボタン１０１に対して配置される、シート部材としての第１のメタルドームシート６０１の分解斜視図である。
【００２１】
デジタルカメラ１００を背面側から見て、レンズ鏡筒２００の右側には、電源となる主電池を挿入するためのバッテリボックス３００が配置されており、また、レンズ鏡筒２００の上側には、警告音等を発音するスピーカ３０１が配置されている。電源ボタン１０１、レリーズボタン１０２及びズームレバー１０３は、トップユニット１０８としてユニット化されており、トップユニット１０８は、デジタルカメラ１００の上部からバッテリボックス３００へ係止爪（不図示）によって固定される。
【００２２】
デジタルカメラ１００を背面側から見て、液晶ディスプレイ５００の右側には、操作基板６００が配置されている。操作基板６００は、屈曲性を有する片面フレキシブル基板であり、絶縁性を有するポリイミド等のフィルムを用いたベースフィルムとカバーレイフィルムとで銅箔からなる配線パターンを挟み、熱硬化性の接着材を用いて接着された構造を有する。なお、片面フレキシブル基板は、配線パターンが片方の面のみに形成されているため、配線の自由度は制限されるが、多層フレキシブル基板に比べて製造コストが安いという利点がある。
【００２３】
操作基板６００は、上面及び背面に屈曲されて配置されており、操作基板６００の上面側はバッテリボックス３００に保持され、操作基板６００の背面側はサブシャーシ３０２で保持されている。操作基板６００には、電源ボタン１０１を操作したときの動作を検知するための第１のメタルドームシート６０１が固定されている。第１のメタルドームスイッチは、操作基板６００と第１のメタルドームシート６０１で構成されている。
【００２４】
また、操作基板６００には、操作ボタン群１０５を操作したときの動作を検知するための第２のメタルドームシート６０４が固定されている。第２のメタルドームスイッチは、操作基板６００と第２のメタルドームシート６０４で構成されている。レリーズボタン１０２を操作したときの動作を検知するレリーズスイッチ６０２は、操作基板６００に半田付けにて実装されている。操作基板６００には、ズームレバー１０３の操作したときの動作を検知するズームパターン６０３が形成されている。第１のメタルドームシート６０１、第２のメタルドームシート６０４はそれぞれ、粘着シートにより操作基板６００に粘着固定されている。
【００２５】
バッテリボックス３００の背面側には、メイン基板６０５がビス等により固定されており、メイン基板６０５は更にメインシャーシ３０３に固定されている。メインシャーシ３０３は、レンズ鏡筒２００、ストロボ４００、サブシャーシ３０２、液晶ディスプレイ５００をビスや両面テープ等を用いて保持している。メイン基板６０５にはデジタルカメラ１００の動作制御を行う制御回路（不図示）と、操作基板６００との電気的接続に用いられるコネクタ（不図示）とが実装されている。操作基板６００には、メイン基板６０５のコネクタと電気的に接続するための端子部（不図示）が設けられており、これらのコネクタと端子部とが接続されることにより、メイン基板６０５と操作基板６００との間での電気信号の授受が可能となる。
【００２６】
図３は、第２のメタルドームシート６０４の構造を示す図である。図３（ａ）は、第２のメタルドームシート６０４の平面透視図であり、図３（ｂ）は、図３（ａ）中の矢視Ａ−Ａ断面図である。第２のメタルドームシート６０４は、複数のメタルドーム６０４ａと、粘着シート６０４ｂと、ＰＥＴ（ポリエチレンテレフタレート）フィルム６０４ｃとにより構成されている。
【００２７】
粘着シート６０４ｂにより複数のメタルドーム６０４ａがＰＥＴフィルム６０４ｃに粘着固定されている。また、粘着シート６０４ｂには、メタルドーム６０４ａが押圧されたときに空気を逃がすための空気の経路６０４ｄが形成されている。通常、隣接したスイッチを同時に押圧操作することは殆どないため、複数のメタルドーム６０４を備える場合、空気の経路６０４ｄを少なくとも２カ所のメタルドーム間で空気の行き来が可能となるように設ける。これにより、空気の逃げをスムーズに行うことができる。仮に、隣接したスイッチが同時押圧された場合でも、全てのメタルドーム間で空気の行き来ができるように空気の経路６０４ｄを設けておけば、スムーズに空気を逃がすことができ、良好な操作感を得ることができる。
【００２８】
図４は、第１のメタルドームシート６０１の構造を示す図である。図４（ａ）は、第１のメタルドームシート６０１の平面透視図であり、図４（ｂ）は、図４（ａ）中の矢視Ｂ−Ｂ断面の一部拡大図である。第１のメタルドームシート６０１は、メタルドーム６０１ａ、第１の粘着シート６０１ｂ１、スペーサシート６０１ｈ、第２の粘着シート６０１ｂ２及びＰＥＴフィルム６０１ｃにより構成されている（適宜、図２（ｂ）参照）。第１の粘着シート６０１ｂ１、スペーサシート６０１ｈ、第２の粘着シート６０１ｂ２及びＰＥＴフィルム６０１ｃは、それぞれ絶縁材料で形成される。
【００２９】
メタルドーム６０１ａは、ドーム形状を有し、一般的に金属で構成される導電性の弾性部材であり、第２の粘着シート６０１ｂ２によりＰＥＴフィルム６０１ｃに粘着固定されている。スペーサシート６０１ｈは、第１の粘着シート６０１ｂ１により操作基板６００に粘着固定されている。操作基板６００には、接地電位となるグランド配線部６０９が操作基板６００の周縁部６００ｋに沿って形成される。第１のメタルドームシート６０１の周縁部６０１ｋに沿ってグランド配線部６０９の一部（露出部６０９ｋ）が露出するように、第１のメタルドームシート６０１は操作基板６００に貼り付けられる。すなわち、グランド配線部６０９は操作基板６００の周縁部６００ｋに沿って配線され、グランド配線部６０９の露出部６０９ｋは第１のメタルドームシート６０１の周縁部６０１ｋから露出している。
【００３０】
スペーサシート６０１ｈと第１の粘着シート６０１ｂ１には、部分的に除去されることで、メタルドーム６０１ａが押圧されたときに空気を逃がすための空気の経路６０１ｇが形成されている。一般的に、１つの基板上に１つのメタルドームが配置されるメタルドームスイッチでは、メタルドームが変形したときにメタルドームと基板との間の空気をメタルドームシートの外に排出する必要がある。第１のメタルドームシート６０１には、空気の経路６０１ｇと連通するメタルドームシート通気開口６０１ｅが、第１のメタルドームシート６０１の周縁部６０１ｋと操作基板６００の周縁部６００ｋとの近接領域に設けられている。また、グランド配線部６０９の露出部６０９ｋを、メタルドームシート通気開口６０１ｅの近傍の、空気の経路６０１ｇに沿って露出する露出領域６０９ｍで広くしている。
【００３１】
図５は、第１のメタルドームシート６０１と電源ボタン１０１の配置と構造を示す図である。図５（ａ）は第１のメタルドームシート６０１と電源ボタンをデジタルカメラ１００の上面側から見た透視図であり、図５（ｂ）は。第１のメタルドームシート６０１と電源ボタンをデジタルカメラ１００の背面側から見た図である。
【００３２】
操作基板６００上には、第１のスイッチ配線部６０６と、第２のスイッチ配線部６０７とが設けられている（適宜、図２（ｂ）参照）。第２のスイッチ配線部６０７は、メタルドーム６０１ａの周縁部と常に接触して電気的に結合しているが、第１のスイッチ配線部６０６は、メタルドーム６０１ａとは接触していない。メタルドーム６０１ａを押圧する押圧部材である電源ボタン１０１が押下されてメタルドーム６０１ａが押圧されると、メタルドーム６０１ａはドーム形状が反転するように弾性変形して第１のスイッチ配線部６０６と接触する。これにより、第１のスイッチ配線部６０６と第２のスイッチ配線部６０７とがメタルドーム６０１ａを介して導通する。第１のスイッチ配線部６０６と第２のスイッチ配線部６０７との導通を検知することで、メタルドーム６０１ａが押圧されたことを検知することができる。
【００３３】
電源ボタン１０１は、第１のメタルドームシート６０１に当接することにより押圧動作を規制する押圧受け部１０１ａを有しており、空気の経路６０１ｇは、電源ボタン１０１の押圧受け部１０１ａに対応する位置を回避する位置に設けられている。また、メタルドーム６０１ａは、対向する２辺が切り欠かれた略長円形の形状を有しており（適宜、図２（ｂ）参照）、第２のスイッチ配線部６０７も、メタルドーム６０１ａの切り欠かれた２辺に対応する部分が切り欠かれた略長円形の形状を有している。そして、空気の経路６０１ｇは、メタルドーム６０１ａの切り欠かれた一方の辺に対応する周縁領域６０１ｆから、メタルドームシート通気開口６０１ｅまで延在するように形成されている。更に、空気の経路６０１が延出する周縁領域６０１ｆと対向する他方の辺に対応する領域において、第１のスイッチ配線部６０６と第２のスイッチ配線部６０７の信号線が引き出されている。
【００３４】
通常、第１のスイッチ配線部６０６は信号線に割り当てられ、第２のスイッチ配線部６０７はグランドに割り当てられる。そのため、メタルドームシート通気開口６０１ｅから空気の経路６０１ｇを経由して静電気が侵入したとしても、グランドである第２のスイッチ配線部６０７が避雷針となり、信号線である第１のスイッチ配線部６０６に静電気が印加されるのを防ぐことができる。これにより、電子回路の損傷を防止することができる。
【００３５】
なお、第１のメタルドームシート６０１を操作基板６００に粘着固定する際には、それぞれに形成されている位置決め孔６０１ｉ（図４（ａ）参照）と位置決め孔６００ｉ（図２（ｂ）参照）とを合わせることにより、固定位置を決定する。このとき、位置決め孔６０１ｉ，６００ｉ同士の距離は離れている方が好ましく、これにより、固定作業の際の位置ズレを抑えることができる。
【００３６】
上記構成によれば、メタルドームシート通気開口６０１ｅを設けた第１のメタルドームシート６０１において、空気の経路が電源ボタン１０１等によりふさがれることがなく、スムーズな空気の逃げを確保して、良好な操作感を得ることができる。また、グランド配線部６０９の露出部６０９ｋが避雷針となることにより、信号線への静電気の侵入を防ぐことができ、電子回路の損傷や誤動作を防ぐことができる。
【００３７】
以上、本発明の好ましい実施形態について説明したが、本発明はこれらの実施形態に限定されず、その要旨の範囲内で種々の変形及び変更が可能である。上記実施形態では、電子機器として、コンパクトタイプのデジタルカメラ１００を取り上げたが、本発明はこれに限定されるものではない。例えば、本発明が適用可能な電子機器としては、デジタル一眼レフカメラ、デジタルビデオカメラ、携帯ゲーム機、携帯電話、プリンタ等を挙げることができる。
【符号の説明】
【００３８】
１０１    電源ボタン
１０１ａ    押圧受け部
６００    操作基板
６００ｋ    操作基板の周縁部
６０１    第１のメタルドームシート
６０１ａ    メタルドーム
６０１ｂ１，６０１ｂ２    粘着シート
６０１ｃ    ＰＥＴフィルム
６０１ｅ    メタルドームシート通気開口
６０１ｆ    周縁領域
６０１ｇ    空気の経路
６０１ｈ    スペーサシート
６０１ｋ    メタルドームシートの周縁部
６０６    第１のスイッチ配線部
６０７    第２のスイッチ配線部
６０９    グランド配線部
６０９ｋ    グランド配線部の露出部
６０９ｍ    グランド配線部の露出領域
【図１】
2015076172.tif 000003
【図２】
2015076172.tif 000004
【図３】
2015076172.tif 000005
【図４】
2015076172.tif 000006
【図５】
2015076172.tif 000007